(57)【要約】【課題】クランパ装置の吸着力測定機を用いて容易で正確に磁石の吸着力を測定する。【解決手段】磁石１１１を備えるクランパ１１０と、磁石１１１に引き寄せられるターンテーブル１２０とにより、メディアを挟むクランパ装置１００の吸着力測定機１であって、クランパ１１０が着脱自在に取付け可能とされた第一装着部１０と、ターンテーブル１２０が着脱自在に取付け可能とされた第二装着部２０と、第一装着部１０に繋げられ磁石１１１の吸着力を測定可能な計測部３０と、磁石１１１に対しターンテーブル１２０を自在に移動可能とさせる可動部５０とを備えるものとさせた。磁石１１１を備えるクランパ１１０に対し、ターンテーブル１２０は、水平方向Ｈに沿って移動可能とされた。【選択図】図１
2006155869.tif 000002
【特許請求の範囲】
【請求項１】
磁石を備えるクランパと、
該磁石に引き寄せられるターンテーブルとにより、
メディアを挟むクランパ装置の吸着力測定機であって、
前記クランパが着脱自在に取付け可能とされた第一装着部と、
前記ターンテーブルが着脱自在に取付け可能とされた第二装着部と、
該第一装着部に繋げられ該磁石の吸着力を測定可能な計測部と、
該磁石に対し該ターンテーブルを自在に移動可能とさせる可動部と
を備えることを特徴とするクランパ装置の吸着力測定機。
【請求項２】
前記ターンテーブルに対する前記磁石の前記吸着力が測定されるときに、
前記第一装着部に取り付けられた略円板状の前記クランパの中心部と、
前記第二装着部に取り付けられた略円板状の前記ターンテーブルの中心部とが略一致した状態で、
該クランパと、該ターンテーブルとが合わせられることを特徴とする請求項１記載のクランパ装置の吸着力測定機。
【請求項３】
前記クランパは、略円板状に形成され、
該クランパに対応して、前記ターンテーブルは、略円板状に形成され、
該クランパの平面部に対し略直交する方向に沿って該ターンテーブルが移動可能とされ、
該クランパの該平面部に対し、略直交する方向に沿って該クランパが移動可能な状態で、該クランパは、前記計測部に続く前記第一装着部に装備可能とされたことを特徴とする請求項１又は２記載のクランパ装置の吸着力測定機。
【請求項４】
前記クランパは、略円板状に形成され、
該クランパに対応して、前記ターンテーブルは、略円板状に形成され、
該クランパが装備される前記第一装着部に、該クランパに対応した取付部が設けられ、
該ターンテーブルが装備される前記第二装着部に、該ターンテーブルに対応した取付部が設けられ、
該第一装着部は、前記計測部を構成する略丸棒状の探針部に装備され、
該クランパの中心部と、
該クランパに対応した該取付部の中心部と、
該クランパおよび該第一装着部に続く該探針部の中心部とが略一致され、
該ターンテーブルの中心部と、
該ターンテーブルに対応した該取付部の中心部とが略一致され、
該クランパの該中心部と、該ターンテーブルの該中心部とが略一致した状態で、該クランパと、該ターンテーブルとが合わせられることを特徴とする請求項１〜３の何れか１項に記載のクランパ装置の吸着力測定機。
【請求項５】
前記可動部が装備される略平板状の台座をさらに備え、
該可動部を構成する前記第二装着部は、該第二装着部を該台座の長手方向に沿って移動させるラックピニオン部により、前記計測部に対して往復移動が可能とされたことを特徴とする請求項１〜４の何れか１項に記載のクランパ装置の吸着力測定機。
【請求項６】
前記ラックピニオン部は、略直線状歯付物として構成されたラック部と、該ラック部に噛み合わせられて回動する略歯車状のピニオン部とを備え、
該ピニオン部に、前記第二装着部を往復移動させるノブが設けられたことを特徴とする請求項５記載のクランパ装置の吸着力測定機。
【請求項７】
前記磁石を備える前記クランパに対し、前記ターンテーブルは、水平方向に沿って移動可能とされたことを特徴とする請求項１〜６の何れか１項に記載のクランパ装置の吸着力測定機。
【請求項８】
前記第一装着部に着脱自在に取付け可能とされた前記クランパに代えて、前記ターンテーブルが該第一装着部に着脱自在に取付け可能とされ、
前記第二装着部に着脱自在に取付け可能とされた前記ターンテーブルに代えて、前記クランパが該第二装着部に着脱自在に取付け可能とされたことを特徴とする請求項１〜７の何れか１項に記載のクランパ装置の吸着力測定機。
【請求項９】
前記磁石を備える前記クランパに代えて、該磁石が未装備のクランパが着脱自在に装備可能とされ、
前記磁石に引き寄せられる前記ターンテーブルに代えて、該磁石を備えるターンテーブルが着脱自在に装備可能とされたことを特徴とする請求項１〜８の何れか１項に記載のクランパ装置の吸着力測定機。
【発明の詳細な説明】
【技術分野】
【０００１】
本発明は、例えば、ディスク装置などのメディア再生／記録装置に内蔵され、ディスクなどのメディアを挟み込むクランパ装置の吸着力測定機に関するものである。
【背景技術】
【０００２】
図５は、ディスクのクランプ装置の一形態を示す要部断面図である。
【０００３】
クランプ装置により、ディスクＤなどのメディアが挟持固定される。メディアとは、情報を記録して媒介するものを意味する。メディアとして、例えば、データが保存可能な光ディスクＤなどが挙げられる。
【０００４】
ディスクＤなどを回動させる電動機５０１は、回転軸５０２を備えるものとされている。この回転軸５０２は、ターンテーブル５０３に形成された孔５０５に圧入されている。また、ターンテーブル５０３に磁性体５０８が固着されている。また、クランプ部材５０９に磁石５１２が取付固定されている。磁石５１２は、取付基板５１１のクランプ部材５０９への取付け等により、クランプ部材５０９に取付固定されている（例えば特許文献１参照）。
【０００５】
ディスクＤは、クランプ部材５０９によりターンテーブル５０３上にクランプされる。磁石５１２と、磁性体５０８とが対向するため、磁石５１２の吸着力が磁性体５０８に対し作用する。その結果、クランプ部材５０９は、ディスクＤの表面をターンテーブル５０３に対して押圧するため、ディスクＤは、クランプ部材５０９によって、ターンテーブル５０３上に押圧保持される。ディスクＤに記録されている信号が再生されるときに、電動機５０１に装備された回転軸５０２が回転する。電動機５０１の軸５０２が回転することによりターンテーブル５０３が回転駆動される。
【０００６】
従来、ターンテーブル５０３に対する磁石５１２の吸着力の測定方法は、次の手順に沿って行われていた。すなわち、従来のディスク装置用クランパ装置の磁性吸着力測定方法は、先ず、ディスク装置に用いられる磁石５１２付クランパ５９０に紐（図示せず）の一端部を掛ける。また、紐の他端部を棒状の「ばね秤」（図示せず）に掛ける。次に、磁石５１２付クランパ５９０にターンテーブル５０３を合わせ、磁石５１２の磁性により、クランパ５９０にターンテーブル５０３を吸着させた状態にする。次に、棒状の「ばね秤」を上側に向けて引き上げる。そのときに、クランパ５９０に装備された磁石５１２が、ターンテーブル５０３から引き離されたときの力を測定する。このときの力が磁石の吸着力として測定されていた。
【特許文献１】特開平１０−１０６０９０号公報（第２，３頁、第１図）
【発明の開示】
【発明が解決しようとする課題】
【０００７】
しかしながら、上記従来のディスク装置用クランパ装置の磁性吸着力測定方法にあっては、ばね秤が引き上げられる速度や、ばね秤が引き上げられる角度により、測定値が安定しないということが問題とされていた。測定値が安定しないと、正確な測定結果が得られないということが懸念される。
【０００８】
従来のディスク装置用クランパ装置の磁性吸着力測定方法においては、測定結果が個人差などにより変化することとなり、正確な磁石の吸着力の測定作業は、難しい作業とされていた。このことから、容易で正確にクランパ装置の磁石の吸着力を測定できる装置が、
磁力測定作業者等から要求されてきた。
【０００９】
本発明は、上記した点に鑑み、容易で正確に磁石の吸着力を測定可能なクランパ装置の吸着力測定機を提供することを目的とする。
【課題を解決するための手段】
【００１０】
上記目的を達成するために、本発明の請求項１に係るクランパ装置の吸着力測定機は、磁石を備えるクランパと、該磁石に引き寄せられるターンテーブルとにより、メディアを挟むクランパ装置の吸着力測定機であって、前記クランパが着脱自在に取付け可能とされた第一装着部と、前記ターンテーブルが着脱自在に取付け可能とされた第二装着部と、該第一装着部に繋げられ該磁石の吸着力を測定可能な計測部と、該磁石に対し該ターンテーブルを自在に移動可能とさせる可動部とを備えることを特徴とする。
【００１１】
上記構成により、各種磁石の吸着力は、容易に測定される。メディアとは、情報を記録して媒介するもの等を意味する。クランパ装置の吸着力測定機を構成する第一装着部は、磁石を備えるクランパが着脱自在に取付け可能なものとされているので、第一装着部に装備されたクランパは、容易に交換可能とされる。また、クランパ装置の吸着力測定機を構成する第二装着部は、ターンテーブルが着脱自在に取付け可能なものとされているので、第二装着部に装備されたターンテーブルは、容易に交換可能とされる。これにより、クランパ装置の吸着力の測定は、容易に行われる。また、このクランパ装置の吸着力測定機は、磁石を備えるクランパに対しターンテーブルを自在に移動可能とさせる可動部を備えるものとされているので、ターンテーブルに対し、磁石を備えるクランパの吸着力は、正確に測定可能とされる。また、このクランパ装置の吸着力測定機は、磁石の吸着力を測定可能な計測部を備えるものとされているので、ターンテーブルに対する磁石の吸着力は、計測部により容易かつ正確に測定される。従って、容易で正確に磁石の吸着力を測定可能なクランパ装置の吸着力測定機が提供される。
【００１２】
請求項２に係るクランパ装置の吸着力測定機は、請求項１記載のクランパ装置の吸着力測定機において、前記ターンテーブルに対する前記磁石の前記吸着力が測定されるときに、前記第一装着部に取り付けられた略円板状の前記クランパの中心部と、前記第二装着部に取り付けられた略円板状の前記ターンテーブルの中心部とが略一致した状態で、該クランパと、該ターンテーブルとが合わせられることを特徴とする。
【００１３】
上記構成により、ターンテーブルに対する磁石の吸着力は、正確に測定される。例えば、クランパ装置を構成する略円板状のクランパの中心部と、クランパ装置を構成する略円板状のターンテーブルの中心部とがずらされた状態でクランパ装置の吸着力が測定された場合、ターンテーブルに対する磁石の吸着力は、正確に測定されないことが懸念される。しかしながら、第一装着部に取り付けられた略円板状のクランパの中心部と、第二装着部に取り付けられた略円板状のターンテーブルの中心部とが略一致した状態で、クランパと、ターンテーブルとが合わせられて、ターンテーブルに対する磁石の吸着力が測定されることにより、クランパ装置を構成する磁石の吸着力は、正確に測定される。
【００１４】
請求項３に係るクランパ装置の吸着力測定機は、請求項１又は２記載のクランパ装置の吸着力測定機において、前記クランパは、略円板状に形成され、該クランパに対応して、前記ターンテーブルは、略円板状に形成され、該クランパの平面部に対し略直交する方向に沿って該ターンテーブルが移動可能とされ、該クランパの該平面部に対し、略直交する方向に沿って該クランパが移動可能な状態で、該クランパは、前記計測部に続く前記第一装着部に装備可能とされたことを特徴とする。
【００１５】
上記構成により、ターンテーブルに対する磁石の吸着力は、正確に測定される。例えば
ターンテーブルに対する磁石の吸着力が測定されるときに、略円板状のクランパの平面部に対し、傾けられた角度の方向に沿って略円板状のターンテーブルが移動させられた場合、ターンテーブルに引き寄せられた磁石がターンテーブルから引き離されるときの磁石の吸着力は、不正確なものとして測定されることが懸念される。しかしながら、略円板状のクランパの平面部に対し、略直交する方向に沿って略円板状のターンテーブルが移動可能なものとされていれば、ターンテーブルに引き寄せられた磁石が、ターンテーブルから引き離されるときの磁石の吸着力は、クランパが取り付けられた第一装着部に続く計測部により、正確に測定される。磁石を備えるクランパに合わせられたターンテーブルが、クランパから引き離されるときの角度誤差の影響は、最小限に抑えられて、クランパ装置の吸着力は測定される。
【００１６】
請求項４に係るクランパ装置の吸着力測定機は、請求項１〜３の何れか１項に記載のクランパ装置の吸着力測定機において、前記クランパは、略円板状に形成され、該クランパに対応して、前記ターンテーブルは、略円板状に形成され、該クランパが装備される前記第一装着部に、該クランパに対応した取付部が設けられ、該ターンテーブルが装備される前記第二装着部に、該ターンテーブルに対応した取付部が設けられ、該第一装着部は、前記計測部を構成する略丸棒状の探針部に装備され、該クランパの中心部と、該クランパに対応した該取付部の中心部と、該クランパおよび該第一装着部に続く該探針部の中心部とが略一致され、該ターンテーブルの中心部と、該ターンテーブルに対応した該取付部の中心部とが略一致され、該クランパの該中心部と、該ターンテーブルの該中心部とが略一致した状態で、該クランパと、該ターンテーブルとが合わせられることを特徴とする。
【００１７】
上記構成により、ターンテーブルに対する磁石の吸着力は、より正確に測定される。クランパの中心部と、第一装着部のクランパに対応した取付部の中心部と、クランパおよび第一装着部に続く計測部の探針部の中心部とが略一致され、ターンテーブルの中心部と、第二装着部のターンテーブルに対応した取付部の中心部とが略一致され、第一装着部のクランパに対応の取付部に装備されたクランパの中心部と、第二装着部のターンテーブルに対応の取付部に装備されたターンテーブルの中心部とが略一致した状態で、クランパと、ターンテーブルとが合わせられることにより、ターンテーブルに対するクランパの磁石の吸着力は、計測部にて正確に測定可能となる。各中心部が略一致した状態でターンテーブルに対する磁石の吸着力が測定されることにより、中心ずれに起因して、磁石の吸着力の測定が正確に行われないということは、回避され易くなる。
【００１８】
請求項５に係るクランパ装置の吸着力測定機は、請求項１〜４の何れか１項に記載のクランパ装置の吸着力測定機において、前記可動部が装備される略平板状の台座をさらに備え、該可動部を構成する前記第二装着部は、該第二装着部を該台座の長手方向に沿って移動させるラックピニオン部により、前記計測部に対して往復移動が可能とされたことを特徴とする。
【００１９】
上記構成により、ターンテーブルに対する磁石の吸着力は、より正確に測定される。ラックとは、片面に歯が設けられた棒状のものを意味する。ラックは、小歯車とかみ合わせられて、回転運動を直線運動に変化させたり、直線運動を回転運動に変化させたりするときに用いられる。ピニオンとは、ラックにかみ合わせられる小歯車や、一対の歯車のうち小さい方の歯車や、歯車列の中の最小歯車を意味する。従来、ラックピニオン部が設けられていないものが用いられて、ターンテーブルに対する磁石の吸着力が測定された場合、クランパの磁石に引き寄せられたターンテーブルをクランパから精度よく引き離し、そのときのターンテーブルに対する磁石の吸着力を正確に測定するという作業は、困難な作業とされていた。このため、ターンテーブルに対する磁石の正確な吸着力の測定作業は、難しい作業とされていた。しかしながら、ターンテーブルが備えられた第二装着部を略平板状の台座の長手方向に沿って移動させるラックピニオン部を備えたクランパ装置の吸着力
測定機が構成されていれば、ターンテーブルに対する磁石の吸着力を測定可能な計測部に対し、ターンテーブルが備えられた可動部の往復移動は、精度よく行われる。従って、ターンテーブルに対する磁石の吸着力の測定精度は向上する。ラックピニオン部は、回動運動を往復運動にスムーズに変換させるものとされているので、ターンテーブルに対する磁石の吸着力の測定が繰り返して行われるときの測定精度は、向上することとなる。
【００２０】
請求項６に係るクランパ装置の吸着力測定機は、請求項５記載のクランパ装置の吸着力測定機において、前記ラックピニオン部は、略直線状歯付物として構成されたラック部と、該ラック部に噛み合わせられて回動する略歯車状のピニオン部とを備え、該ピニオン部に、前記第二装着部を往復移動させるノブが設けられたことを特徴とする。
【００２１】
上記構成により、ターンテーブルに対する磁石の吸着力は、さらに正確に測定される。ラックピニオン部を構成するピニオン部に、第二装着部を往復移動させるノブが設けられているので、ノブを回動させることにより、略歯車状のピニオン部は、略直線状歯付物として構成されたラック部上を回動する。これに伴い、略歯車状のピニオン部に噛み合わせられた略直線状歯付物のラック部が直線移動する。ノブは、回動され易いものとして形成されているので、ターンテーブルに対する磁石の吸着力の測定は、容易かつ正確に行われる。ターンテーブルに対する磁石の吸着力が測定されるときに、例えばノブを略一定の速度で回動させることにより、第二装着部に備えられ且つクランパに合わせられたターンテーブルは、第一装着部に備えられたクランパの磁石から略一定の速度で引き離される。クランパの磁石近傍に位置するターンテーブルが、磁石から引き離されるときの速度は、略一定の速度とされるので、ターンテーブルに対する磁石の吸着力の測定結果に大きなバラツキが生じるということは回避される。従って、磁石が設けられたクランパと、このクランパに合わせられるターンテーブルとを備えたクランパ装置の吸着力の測定は、正確に行われる。
【００２２】
請求項７に係るクランパ装置の吸着力測定機は、請求項１〜６の何れか１項に記載のクランパ装置の吸着力測定機において、前記磁石を備える前記クランパに対し、前記ターンテーブルは、水平方向に沿って移動可能とされたことを特徴とする。
【００２３】
上記構成により、ターンテーブルに対する磁石の吸着力の測定は、安定した状態で行われる。例えば第一装着部に取り付けられた磁石を備えるクランパに対し、第二装着部に取り付けられたターンテーブルが垂直方向に沿って移動可能なものとされていた場合、第二装着部の重量などにより、下側に向けた力が第二装着部に働く。ターンテーブルに対する磁石の吸着力の測定が行われるときに、第二装着部の重量などにより、ターンテーブルが取り付けられた第二装着部は、不用意に下側に向けて動かされることが懸念される。そのため、ターンテーブルに対する磁石の吸着力の測定は、行われ難いことが心配される。しかしながら、第一装着部に取り付けられた磁石を備えるクランパに対し、第二装着部に取り付けられたターンテーブルは、水平方向に沿って移動可能なものとされているので、第二装着部の移動方向は、重力の働く方向と関わりのないものとされる。従って、ターンテーブルに対する磁石の吸着力の測定は、安定した状態で行われる。
【００２４】
請求項８に係るクランパ装置の吸着力測定機は、請求項１〜７の何れか１項に記載のクランパ装置の吸着力測定機において、前記第一装着部に着脱自在に取付け可能とされた前記クランパに代えて、前記ターンテーブルが該第一装着部に着脱自在に取付け可能とされ、前記第二装着部に着脱自在に取付け可能とされた前記ターンテーブルに代えて、前記クランパが該第二装着部に着脱自在に取付け可能とされたことを特徴とする。
【００２５】
上記構成により、各種磁石の吸着力は、容易に測定される。クランパ装置の吸着力測定機を構成する第一装着部は、ターンテーブルが着脱自在に取付け可能なものとされている
ので、第一装着部に装備されたターンテーブルは、容易に交換可能とされる。また、クランパ装置の吸着力測定機を構成する第二装着部は、磁石を備えるクランパが着脱自在に取付け可能なものとされているので、第二装着部に装備されたクランパは、容易に交換可能とされる。これにより、クランパ装置の吸着力の測定は、容易に行われる。また、このクランパ装置の吸着力測定機は、ターンテーブルに対し、磁石を備えるクランパを自在に移動可能とさせる可動部を備えるものとされているので、ターンテーブルに対し、磁石を備えるクランパの吸着力は、正確に測定可能とされる。また、このクランパ装置の吸着力測定機は、磁石の吸着力を測定可能な計測部を備えるものとされているので、ターンテーブルに対する磁石の吸着力は、計測部により容易かつ正確に測定される。従って、容易で正確に磁石の吸着力を測定可能なクランパ装置の吸着力測定機が提供される。
【００２６】
請求項９に係るクランパ装置の吸着力測定機は、請求項１〜８の何れか１項に記載のクランパ装置の吸着力測定機において、前記磁石を備える前記クランパに代えて、該磁石が未装備のクランパが着脱自在に装備可能とされ、前記磁石に引き寄せられる前記ターンテーブルに代えて、該磁石を備えるターンテーブルが着脱自在に装備可能とされたことを特徴とする。
【００２７】
上記構成により、各種磁石の吸着力は、容易に測定される。磁石が未装備のクランパが着脱自在に装備可能とされているので、クランパは、容易に交換可能とされる。また、磁石に引き寄せられるターンテーブルに代えて、磁石を備えるターンテーブルが着脱自在に装備可能とされているので、磁石を備えるターンテーブルは、容易に交換可能とされる。これにより、クランパ装置の吸着力の測定は、容易に行われる。また、このクランパ装置の吸着力測定機は、クランパまたはターンテーブルを自在に移動可能とさせる可動部を備えるものとされているので、磁石の吸着力は正確に測定可能とされる。また、このクランパ装置の吸着力測定機は、磁石の吸着力を測定可能な計測部を備えるものとされているので、クランパに対する磁石の吸着力は、計測部により容易かつ正確に測定される。従って、容易で正確に磁石の吸着力を測定可能なクランパ装置の吸着力測定機が提供される。
【発明の効果】
【００２８】
以上の如く、請求項１記載の発明によれば、各種磁石の吸着力を容易に測定することができる。クランパ装置の吸着力測定機を構成する第一装着部は、磁石を備えるクランパが着脱自在に取付け可能なものとされているので、第一装着部に装備されたクランパを容易に交換することができる。また、クランパ装置の吸着力測定機を構成する第二装着部は、ターンテーブルが着脱自在に取付け可能なものとされているので、第二装着部に装備されたターンテーブルを容易に交換することができる。これにより、クランパ装置の吸着力の測定を容易に行うことができる。また、このクランパ装置の吸着力測定機は、磁石を備えるクランパに対しターンテーブルを自在に移動可能とさせる可動部を備えるものとされているので、ターンテーブルに対し、磁石を備えるクランパの吸着力を正確に測定することができる。また、このクランパ装置の吸着力測定機は、磁石の吸着力を測定可能な計測部を備えるものとされているので、ターンテーブルに対する磁石の吸着力を、計測部により容易かつ正確に測定することができる。従って、容易で正確に磁石の吸着力を測定可能なクランパ装置の吸着力測定機を提供することができる。
【００２９】
請求項２記載の発明によれば、ターンテーブルに対する磁石の吸着力を正確に測定することができる。例えば、クランパ装置を構成する略円板状のクランパの中心部と、クランパ装置を構成する略円板状のターンテーブルの中心部とがずらされた状態でクランパ装置の吸着力が測定された場合、ターンテーブルに対する磁石の吸着力は、正確に測定されないことが懸念される。しかしながら、第一装着部に取り付けられた略円板状のクランパの中心部と、第二装着部に取り付けられた略円板状のターンテーブルの中心部とが略一致した状態で、クランパと、ターンテーブルとが合わせられて、ターンテーブルに対する磁石
の吸着力が測定されることにより、クランパ装置を構成する磁石の吸着力を正確に測定することができる。
【００３０】
請求項３記載の発明によれば、ターンテーブルに対する磁石の吸着力を正確に測定することができる。例えばターンテーブルに対する磁石の吸着力が測定されるときに、略円板状のクランパの平面部に対し、傾けられた角度の方向に沿って略円板状のターンテーブルが移動させられた場合、ターンテーブルに引き寄せられた磁石がターンテーブルから引き離されるときの磁石の吸着力は、不正確なものとして測定されることが懸念される。しかしながら、略円板状のクランパの平面部に対し、略直交する方向に沿って略円板状のターンテーブルが移動可能なものとされていれば、ターンテーブルに引き寄せられた磁石が、ターンテーブルから引き離されるときの磁石の吸着力は、クランパが取り付けられた第一装着部に続く計測部により、正確に測定される。磁石を備えるクランパに合わせられたターンテーブルが、クランパから引き離されるときの角度誤差の影響を最小限に抑えながら、クランパ装置の吸着力を測定することができる。
【００３１】
請求項４記載の発明によれば、ターンテーブルに対する磁石の吸着力を、より正確に測定することができる。クランパの中心部と、第一装着部のクランパに対応した取付部の中心部と、クランパおよび第一装着部に続く計測部の探針部の中心部とが略一致され、ターンテーブルの中心部と、第二装着部のターンテーブルに対応した取付部の中心部とが略一致され、第一装着部のクランパに対応の取付部に装備されたクランパの中心部と、第二装着部のターンテーブルに対応の取付部に装備されたターンテーブルの中心部とが略一致した状態で、クランパと、ターンテーブルとが合わせられることにより、ターンテーブルに対するクランパの磁石の吸着力を、計測部にて正確に測定することができる。各中心部が略一致した状態でターンテーブルに対する磁石の吸着力が測定されることにより、中心ずれに起因して、磁石の吸着力の測定が正確に行われないということを回避させ易くすることができる。
【００３２】
請求項５記載の発明によれば、ターンテーブルに対する磁石の吸着力を、より正確に測定することができる。従来、ラックピニオン部が設けられていないものが用いられて、ターンテーブルに対する磁石の吸着力が測定された場合、クランパの磁石に引き寄せられたターンテーブルをクランパから精度よく引き離し、そのときのターンテーブルに対する磁石の吸着力を正確に測定するという作業は、困難な作業とされていた。このため、ターンテーブルに対する磁石の正確な吸着力の測定作業は、難しい作業とされていた。しかしながら、ターンテーブルが備えられた第二装着部を略平板状の台座の長手方向に沿って移動させるラックピニオン部を備えたクランパ装置の吸着力測定機が構成されていれば、ターンテーブルに対する磁石の吸着力を測定可能な計測部に対し、ターンテーブルが備えられた可動部の往復移動は、精度よく行われる。従って、ターンテーブルに対する磁石の吸着力の測定精度を向上させることができる。ラックピニオン部は、回動運動を往復運動にスムーズに変換させるものとされているので、ターンテーブルに対する磁石の吸着力の測定が繰り返して行われるときの測定精度を向上させることができる。
【００３３】
請求項６記載の発明によれば、ターンテーブルに対する磁石の吸着力を、さらに正確に測定することができる。ラックピニオン部を構成するピニオン部に、第二装着部を往復移動させるノブが設けられているので、ノブを回動させることにより、略歯車状のピニオン部は、略直線状歯付物として構成されたラック部上を回動する。これに伴い、略歯車状のピニオン部に噛み合わせられた略直線状歯付物のラック部が直線移動する。ノブは、回動され易いものとして形成されているので、ターンテーブルに対する磁石の吸着力の測定は、容易かつ正確に行われる。ターンテーブルに対する磁石の吸着力が測定されるときに、例えばノブを略一定の速度で回動させることにより、第二装着部に備えられ且つクランパに合わせられたターンテーブルは、第一装着部に備えられたクランパの磁石から略一定の
速度で引き離される。クランパの磁石近傍に位置するターンテーブルが、磁石から引き離されるときの速度は、略一定の速度とされるので、ターンテーブルに対する磁石の吸着力の測定結果に大きなバラツキが生じるということは回避される。従って、磁石が設けられたクランパと、このクランパに合わせられるターンテーブルとを備えたクランパ装置の吸着力の測定を、正確に行うことができる。
【００３４】
請求項７記載の発明によれば、ターンテーブルに対する磁石の吸着力の測定を、安定した状態で行うことができる。例えば第一装着部に取り付けられた磁石を備えるクランパに対し、第二装着部に取り付けられたターンテーブルが垂直方向に沿って移動可能なものとされていた場合、第二装着部の重量などにより、下側に向けた力が第二装着部に働く。ターンテーブルに対する磁石の吸着力の測定が行われるときに、第二装着部の重量などにより、ターンテーブルが取り付けられた第二装着部は、不用意に下側に向けて動かされることが懸念される。そのため、ターンテーブルに対する磁石の吸着力の測定は、行われ難いことが心配される。しかしながら、第一装着部に取り付けられた磁石を備えるクランパに対し、第二装着部に取り付けられたターンテーブルは、水平方向に沿って移動可能なものとされているので、第二装着部の移動方向は、重力の働く方向と関わりのないものとされる。従って、ターンテーブルに対する磁石の吸着力の測定を、安定した状態で行うことができる。
【００３５】
請求項８記載の発明によれば、各種磁石の吸着力を容易に測定することができる。クランパ装置の吸着力測定機を構成する第一装着部は、ターンテーブルが着脱自在に取付け可能なものとされているので、第一装着部に装備されたターンテーブルを容易に交換することができる。また、クランパ装置の吸着力測定機を構成する第二装着部は、磁石を備えるクランパが着脱自在に取付け可能なものとされているので、第二装着部に装備されたクランパを容易に交換することができる。これにより、クランパ装置の吸着力の測定を容易に行うことができる。また、このクランパ装置の吸着力測定機は、ターンテーブルに対し、磁石を備えるクランパを自在に移動可能とさせる可動部を備えるものとされているので、ターンテーブルに対し、磁石を備えるクランパの吸着力を正確に測定することができる。また、このクランパ装置の吸着力測定機は、磁石の吸着力を測定可能な計測部を備えるものとされているので、ターンテーブルに対する磁石の吸着力を、計測部により容易かつ正確に測定することができる。従って、容易で正確に磁石の吸着力を測定可能なクランパ装置の吸着力測定機を提供することができる。
【００３６】
請求項９記載の発明によれば、各種磁石の吸着力を容易に測定することができる。磁石が未装備のクランパが着脱自在に装備可能とされているので、クランパを容易に交換することができる。また、磁石に引き寄せられるターンテーブルに代えて、磁石を備えるターンテーブルが着脱自在に装備可能とされているので、磁石を備えるターンテーブルを容易に交換することができる。これにより、クランパ装置の吸着力の測定を容易に行うことができる。また、このクランパ装置の吸着力測定機は、クランパまたはターンテーブルを自在に移動可能とさせる可動部を備えるものとされているので、磁石の吸着力を正確に測定することができる。また、このクランパ装置の吸着力測定機は、磁石の吸着力を測定可能な計測部を備えるものとされているので、クランパに対する磁石の吸着力を、計測部により容易かつ正確に測定することができる。従って、容易で正確に磁石の吸着力を測定可能なクランパ装置の吸着力測定機を提供することができる。
【発明を実施するための最良の形態】
【００３７】
以下に本発明に係るクランパ装置の吸着力測定機の一実施形態を図面に基づいて詳細に説明する。
【００３８】
図１は、本発明に係るクランパ装置の吸着力測定機の一実施形態を示す正面図、図２は
、図１のクランパ装置の吸着力測定機を示す平面図である。
【００３９】
クランパ装置１００（図１，図２）は、ディスク装置（図示せず）などのメディア再生装置（図示せず）に内蔵されて用いられる。また、クランパ装置１００（図１，図２）は、ディスク装置（図示せず）などのメディア記録・再生装置（図示せず）に内蔵されて用いられる。メディア（media ）とは、情報を記録して媒介するものや情報を記録して伝達するものを意味する。不図示のディスク装置が用いられて、ディスクＤ（図５）等のメディアに記録された情報などのデータが再生される。また、ディスク装置が用いられて、ディスクＤ等のメディアに情報などのデータの記録が行われる。
【００４０】
ディスクとして、例えば、「ＣＤ−ＲＯＭ」，「ＤＶＤ−ＲＯＭ」などの読出し専用の光ディスクや、「ＣＤ−Ｒ」，「ＤＶＤ−Ｒ」，「ＤＶＤ＋Ｒ」などの追記型の光ディスクや、「ＣＤ−ＲＷ」，「ＤＶＤ−ＲＷ」，「ＤＶＤ＋ＲＷ」（登録商標），「ＤＶＤ−ＲＡＭ」，「ＨＤ  ＤＶＤ」（登録商標），「Blu-ray Disc」（商標）等の書込み／消去や書換え可能なタイプの光ディスクなどが挙げられる。
【００４１】
「ＣＤ」は、「Compact Disc」（商標）の略称である。また、「ＤＶＤ」は、「Digital Versatile Disc」（登録商標）の略称である。また、「ＣＤ−ＲＯＭ」もしくは「ＤＶＤ−ＲＯＭ」の「ＲＯＭ」は、「Read Only Memory」の略称である。ＣＤ−ＲＯＭもしくはＤＶＤ−ＲＯＭは、データ読出し専用のものである。また、「ＣＤ−Ｒ」または「ＤＶＤ−Ｒ」もしくは「ＤＶＤ＋Ｒ」の「Ｒ」は、「Recordable」の略称である。ＣＤ−ＲまたはＤＶＤ−ＲもしくはＤＶＤ＋Ｒは、データの書込みが可能なものである。また、「ＣＤ−ＲＷ」または「ＤＶＤ−ＲＷ」もしくは「ＤＶＤ＋ＲＷ」の「ＲＷ」は、「ReWritable」の略称である。ＣＤ−ＲＷまたはＤＶＤ−ＲＷもしくはＤＶＤ＋ＲＷは、データの書換えが可能なものである。また、「ＤＶＤ−ＲＡＭ」は、「Digital Versatile Disc Random Access Memory 」の略称である。ＤＶＤ−ＲＡＭは、データの読み書き・消去が可能なものである。
【００４２】
また、「ＨＤ  ＤＶＤ」は、「High Definition DVD 」の略称である。「ＨＤ  ＤＶＤ」は、従来のＤＶＤ系列のものと互換性をもたせ、且つ、従来のＤＶＤ系列のディスクよりも記憶容量の大きいものである。従来のＣＤには、赤外レーザが用いられていた。また、従来のＤＶＤには、赤色レーザが用いられていた。しかしながら、ＨＤ  ＤＶＤの光ディスクＤに記録されたデータ／情報が読み出されるときには、青紫色のレーザが用いられる。また、「Blu-ray 」とは、従来の信号の読み書きに用いられていた赤色のレーザに対し、高密度記録が実現されるために採用された青紫色のレーザを意味する。
【００４３】
また、光ディスクとして、例えばディスク両面に信号面（図示せず）が設けられ、データ書込み／消去やデータ書換えが可能とされた光ディスク（図示せず）等も挙げられる。さらに、光ディスクとして、例えば、二層／三層／四層の信号面（図示せず）が設けられ、データ書込み／消去やデータ書換えが可能とされた光ディスク（図示せず）等も挙げられる。
【００４４】
ディスククランパ装置１００（図１，図２）は、マグネット１１１が装着されたクランパ１１０と、このクランパ１１０に対応し、マグネット１１１に引き寄せられる部材１２１が装着されたターンテーブル１２０とを備えるものとして構成されている。このディスククランパ装置１００は、マグネット１１１を備えたクランパ１１０と、マグネット１１１に引き寄せられる一部材１２１を備えたターンテーブル１２０とにより、光ディスクＤ（図５）を挟み込むものとされている。クランパ１１０（図１，図２）の平面部１１３と、ターンテーブル１２０の平面部１２３とで、確実に光ディスクＤ（図５）が挟持される。
【００４５】
ディスククランパ装置１００（図１，図２）の磁性吸着力測定器１は、マグネット１１１を備えたクランパ１１０と、マグネット１１１に引き寄せられる金属製一部材１２１を備えたターンテーブル１２０とが、マグネット１１１の磁気の力により近付けられて合わせられたときに、ターンテーブル１２０の前記部材１２１に対するマグネット１１１の吸着力を測定するためのものとされている。
【００４６】
この明細書における吸着力とは、マグネット（磁石）１１１がターンテーブル１２０などの相手側部材を引き付ける磁力を意味する。また、この明細書における吸着力とは、ターンテーブル１２０などの相手側部材がマグネット（磁石）１１１に引き付けられる力を意味する。
【００４７】
このディスククランパ装置１００の吸着力測定機１は、マグネット１１１を備えるクランパ１１０が着脱自在に取付け可能とされた第一装着部１０と、金属製一部材１２１を備えるターンテーブル１２０が着脱自在に取付け可能とされた第二装着部２０と、第一装着部１０に繋げられ且つマグネット１１１の吸着力を正確に測定可能な計測器３０と、クランパ１１０のマグネット１１１に対し、金属製一部材１２１を備えるターンテーブル１２０を近付けたり引き離したりさせて、ターンテーブル１２０を自在に移動可能とさせる可動部５０とを備えるものとして構成されている。
【００４８】
計測器３０は、専用の取付部４０に固定され、取付部４０は、略平板状の台座９０に固定されている。計測器３０は、各機器（図示せず）が装備された計測器本体部３１と、計測器本体部３１に装着された表示部３２と、計測器本体部３１から延設され計測器本体部３１に対し押圧または引張可能な探針部３３とを備えて構成される。計測器３０の表示部３２には、測定された引張力または押圧力を読取り可能な針３６（図２）が設けられている。計測器３０として、プッシュプルゲージが用いられた。このプッシュプルゲージは、引張力または圧縮力を測定可能な機械式のものとされ、最大指示値に指針３６が残される置き針方式のものとされている。
【００４９】
取付部材４０（図１，図２）は、計測器３０の本体部３１を固定する取付本体部４１と、取付本体部４１に装着され計測器本体部３１を確実に押さえ付ける固定蓋部４２と、取付本体部４１に対し固定蓋部４２を固装させるねじ等の止具４３とを備えて構成される。取付部材４０を構成する本体部４１は、略平板状の台座９０の下側から挿入されるねじ等の止具（図示せず）が用いられて、略平板状の台座９０に固定されている。
【００５０】
図１，図２において、取付部材４０の固定蓋部４２側が、ディスククランパ装置１００の吸着力測定機１の上側とされ、台座９０側が、ディスククランパ装置１００の吸着力測定機１の下側とされる。なお、この明細書における「上」，「下」の定義は、ディスククランパ装置１００の吸着力測定機１を説明するための便宜上の定義である。
【００５１】
前記可動部５０（図１，図２）は、前記第二装着部２０と、第二装着部２０が装備されるラックアンドピニオン部６０とを備えるものとされている。ラックアンドピニオン部６０は、第二装着部２０が装備される往復移動部６２と、往復移動部６２が合わせられ往復移動部６２を移動可能に支持する基台部６７とを備えるものとして構成されている。ラックアンドピニオン部６０の基台部６７は、略平板状の台座９０に固定されている。ラックアンドピニオン部６０として、Ｘ軸方向にのみ往復動が可能とされたＸ軸ラックピニオンステージが用いられた。Ｘ軸ラックピニオンステージが用いられることにより、クランパ１１０に装着される各マグネット１１１の吸着力は、バラツキなく略一定の値として測定される。
【００５２】
上記ディスククランパ装置１００の吸着力測定機１が用いられることにより、クランパ１１０に装着される各種マグネット１１１の吸着力は、容易に測定される。ディスククランパ装置１００の吸着力測定機１を構成する第一装着部１０は、マグネット１１１を備えるクランパ１１０が着脱自在に取付け可能なものとされているので、第一装着部１０に装備されたクランパ１１０は、容易に交換可能とされる。また、ディスククランパ装置１００の吸着力測定機１を構成する第二装着部２０は、金属製一部材１２１を備えるターンテーブル１２０が着脱自在に取付け可能なものとされているので、第二装着部２０に装備されたターンテーブル１２０は、容易に交換可能とされる。これにより、ディスククランパ装置１００の吸着力の測定は、容易で迅速に行われる。
【００５３】
また、このディスククランパ装置１００の吸着力測定機１は、マグネット１１１を備えるクランパ１１０に対し、金属製一部材１２１を備えるターンテーブル１２０を近付けたり引き離したりさせて、ターンテーブル１２０を自在に移動可能とさせる可動部５０を備えるものとされているので、金属製一部材１２１を備えるターンテーブル１２０に対し、マグネット１１１を備えるクランパ１１０の吸着力は、正確に測定可能とされる。
【００５４】
また、このディスククランパ装置１００の吸着力測定機１は、マグネット１１１の吸着力を正確に測定可能な計測器３０を備えるものとされているので、ターンテーブル１２０の金属製一部材１２１に対するマグネット１１１の吸着力は、計測器３０により容易かつ正確に測定される。従って、容易で正確にマグネット１１１の吸着力を測定可能なディスククランパ装置１００の吸着力測定機１を、ディスククランパ装置の設計技術者や、ディスククランパ装置の組立メーカや、ディスククランパ装置の組立工場の受入検査部隊や、マグネットメーカ等に提供することができる。
【００５５】
例えば、ディスククランパ装置の設計技術者に、ディスククランパ装置の吸着力測定機１が提供された場合、設計技術者が考え出したディスククランパ装置の試作品が納品されたときに、そのディスククランパ装置は、吸着力測定機１に装着され、直ぐに磁石の吸着力の測定が可能となる。
【００５６】
また、例えば、ディスククランパ装置の組立工場の受入検査部隊に、ディスククランパ装置の吸着力測定機１が提供された場合、そこで直ぐにディスククランパ装置の磁気吸着力の測定が可能となる。従って、ディスククランパ装置の組立工場の受入検査部隊は、ディスククランパ装置の磁気吸着力の良否判定を行うことができる。
【００５７】
また、例えば、マグネットメーカに、ディスククランパ装置１００の吸着力測定機１が納入された場合、マグネットメーカ内において、ターンテーブル１２０の一部材１２１に対する磁石１１１の吸着力の測定が可能となる。従って、マグネットメーカにおいて、磁石１１１の吸着力の管理が可能となる。
【００５８】
ターンテーブル１２０の一部材１２１に対するマグネット１１１の吸着力が測定されるときに、第一装着部１０に取り付けられた略円板状のクランパ１１０の中心部１１５と、第二装着部２０に取り付けられた略円板状のターンテーブル１２０の中心部１２５とが略一致した状態で、クランパ１１０と、ターンテーブル１２０とが合わせられる。
【００５９】
これにより、ターンテーブル１２０の一部材１２１に対するマグネット１１１の吸着力は、正確に測定される。例えば、ディスククランパ装置（１００）を構成する略円板状のクランパ（１１０）の中心部（１１５）と、ディスククランパ装置（１００）を構成する略円板状のターンテーブル（１２０）の中心部（１２５）とがずらされた状態でディスククランパ装置（１００）の吸着力が測定された場合、ターンテーブル（１２０）の略円環状一部材（１２１）に対する略円環状マグネット（１１１）の吸着力は、正確に測定され
ないことが懸念される。
【００６０】
しかしながら、第一装着部１０に取り付けられた略円板状のクランパ１１０の中心部１１５と、第二装着部２０に取り付けられた略円板状のターンテーブル１２０の中心部１２５とが略一致した状態で、クランパ１１０と、ターンテーブル１２０とが合わせられて、ターンテーブル１２０の一部材１２１に対するマグネット１１１の吸着力が測定されることにより、ディスククランパ装置１００を構成する略円環状マグネット１１１の吸着力は、正確に測定される。
【００６１】
クランパ１１０は、略円板状に形成されている。略円板状のクランパ１１０に対応して、ターンテーブル１２０は、略円板状に形成されている。また、略円板状のターンテーブル１２０に対応して、クランパ１１０は、略円板状に形成されている。略円板状クランパ１１０の平面部１１３に対し、略直交する方向に沿って略円板状ターンテーブル１２０が移動可能とされている。また、略円板状クランパ１１０の平面部１１３に対し、略直交する方向に沿って略円板状クランパ１１０が移動可能な状態で、略円板状クランパ１１０は、計測器３０の探針部３３に続く第一装着部１０に装備可能とされている。
【００６２】
これにより、ターンテーブル１２０の一部材１２１に対するマグネット１１１の吸着力は、正確に測定される。例えばターンテーブル（１２０）の一部材（１２１）に対するマグネット（１１１）の吸着力が測定されるときに、略円板状のクランパ（１１０）の平面部（１１３）に対し、傾けられた角度の方向に沿って略円板状のターンテーブル（１２０）が移動させられた場合、略円板状ターンテーブル（１２０）に引き寄せられた略円環状マグネット（１１１）が、略円板状ターンテーブル（１２０）から引き離されるときのマグネット（１１１）の吸着力は、不正確なものとして測定されることが懸念される。
【００６３】
しかしながら、略円板状のクランパ１１０の平面部１１３に対し、略直交する方向に沿って略円板状のターンテーブル１２０が移動可能なものとされていれば、略円板状ターンテーブル１２０に引き寄せられた略円環状マグネット１１１が、略円板状ターンテーブル１２０から引き離されるときのマグネット１１１の吸着力は、クランパ１１０が取り付けられた第一装着部１０に続く計測器３０により、正確に測定される。マグネット１１１を備えるクランパ１１０に合わせられたターンテーブル１２０が、クランパ１１０から引き離されるときの角度誤差の影響は、最小限に抑えられて、ディスククランパ装置１００の吸着力は測定される。
【００６４】
クランパ１１０が装備される第一装着部１０に、クランパ１１０に対応した取付部１２が設けられている。また、ターンテーブル１２０が装備される第二装着部２０に、ターンテーブル１２０に対応した取付部２２が設けられている。第一装着部１０は、計測器３０を構成する略丸棒状の探針部３３に装備されている。
【００６５】
クランパ１１０の中心軸部１１５と、第一装着部１０のクランパ１１０に対応した取付部１２の中心軸部１５と、クランパ１１０および第一装着部１０に続く計測器３０の探針部３３の中心軸部３５とが、同軸線上で略一致して配置されている。また、ターンテーブル１２０の中心軸部１２５と、第二装着部２０のターンテーブル１２０に対応した取付部２２の中心軸部２５とが、同軸線上で略一致して配置されている。また、第一装着部１０の取付部１２に装備されたクランパ１１０の中心軸部１１５と、第二装着部２０の取付部２２に装備されたターンテーブル１２０の中心軸部１２５とが略一致した状態で、クランパ１１０と、ターンテーブル１２０とが合わせられる。
【００６６】
これにより、ターンテーブル１２０に対するマグネット１１１の吸着力は、より正確に測定される。クランパ１１０の中心軸部１１５と、第一装着部１０のクランパ１１０に対
応した取付部１２の中心軸部１５と、クランパ１１０および第一装着部１０に続く計測器３０の探針部３３の中心軸部３５とが同軸線上で略一致して配置され、ターンテーブル１２０の中心軸部１２５と、第二装着部２０のターンテーブル１２０に対応した取付部２２の中心軸部２５とが同軸線上で略一致して配置され、第一装着部１０のクランパ１１０に対応の取付部１２に装備されたクランパ１１０の中心軸部１１５と、第二装着部２０のターンテーブル１２０に対応の取付部２２に装備されたターンテーブル１２０の中心軸部１２５とが略一致した状態で、クランパ１１０と、ターンテーブル１２０とが合わせられることにより、ターンテーブル１２０に対するクランパ１１０のマグネット１１１の吸着力は、計測器３０にて正確に測定可能となる。各中心軸部１５，２５，３５，１１５，１２５が略一致した状態でターンテーブル１２０に対するマグネット１１１の吸着力が測定されることにより、中心ずれに起因して、マグネット１１１の吸着力の測定が正確に行われないということは、回避され易くなる。
【００６７】
前記各中心軸部１５，２５，３５，１１５，１２５は、略平板状の台座９０の長手方向Ｌと略平行となるように設定されている。各中心軸部１５，２５，３５，１１５，１２５が、略平板状の台座９０の長手方向Ｌと略平行とされたディスククランパ装置１００の吸着力測定機１が構成されることにより、マグネット１１１の磁性吸着力の測定は、精度よく行われる。
【００６８】
ディスククランパ装置１００の吸着力測定機１は、可動部５０が装備される略平板状の台座９０を備えるものとされている。可動部５０を構成する第二装着部２０は、第二装着部２０を台座９０の長手方向Ｌに沿って正確に移動させるラックアンドピニオン部６０により、計測器３０に対し、往復移動が可能なものとされている。台座９０の長手方向Ｌは、上記Ｘ軸方向と同方向とされている。
【００６９】
前記ラックアンドピニオン部６０がディスククランパ装置１００の吸着力測定機１に装備されることにより、ターンテーブル１２０の一部材１２１に対するマグネット１１１の吸着力は、より正確に測定される。
【００７０】
ラックとは、片面に歯が設けられた棒状のものを意味する。ラックは、小歯車（ピニオン）とかみ合わせられて、回転運動を直線運動に変化させたり、直線運動を回転運動に変化させたりするときに用いられる。ピニオンとは、ラックにかみ合わせられる小歯車や、一対の歯車のうち小さい方の歯車や、歯車列の中の最小歯車を意味する。また、ラックアンドピニオンとは、ピニオン（小歯車）と、このピニオン（小歯車）とかみ合わせられる歯付の棒状物（ラック）とで構成される歯車の配列を意味する。
【００７１】
従来、ラックアンドピニオン部（６０）が設けられていないものが用いられて、ターンテーブル（１２０）に対するマグネット（１１１）の吸着力が測定された場合、クランパ（１１０）のマグネット（１１１）に引き寄せられたターンテーブル（１２０）をクランパ（１１０）から精度よく引き離し、そのときのターンテーブル（１２０）に対するマグネット（１１１）の吸着力を正確に測定するという作業は、困難な作業とされていた。このため、ターンテーブル（１２０）に対するマグネット（１１１）の正確な吸着力の測定作業は、難しい作業とされていた。
【００７２】
しかしながら、ターンテーブル１２０が備えられた第二装着部２０を略平板状の台座９０の長手方向Ｌに沿って正確に移動させるラックアンドピニオン部６０を備えたディスククランパ装置１００の吸着力測定機１が構成されていれば、ターンテーブル１２０の一部材１２１に対するマグネット１１１の吸着力を測定可能な計測器３０に対し、ターンテーブル１２０が備えられた可動部５０の往復移動は、精度よく行われる。従って、ターンテーブル１２０の一部材１２１に対するマグネット１１１の吸着力の測定精度は向上する。
ラックアンドピニオン部６０は、回動運動を往復運動にスムーズに変換させるものとされているので、ターンテーブル１２０の一部材１２１に対するマグネット１１１の吸着力の測定が繰り返して行われるときの測定精度は、向上することとなる。
【００７３】
ラックアンドピニオン部６０は、略直線状歯付物として構成されたラック部６１と、ラック部６１に噛み合わせられて回動する略歯車状のピニオン部６６とを備えるものとして構成されている。ラックアンドピニオン部６０のピニオン部６６に、移動部６２に固定された第二装着部２０を容易に往復移動させることが可能な略円板状ノブ７０が設けられている。
【００７４】
前記ノブ７０が、ラックアンドピニオン部６０のピニオン部６６に設けられていれば、ターンテーブル１２０の一部材１２１に対するマグネット１１１の吸着力は、さらに正確に測定される。ラックアンドピニオン部６０を構成するピニオン部６６に、移動部６２に固定された第二装着部２０を容易に往復移動させる略円板状ノブ７０が設けられているので、略円板状ノブ７０を回動させることにより、略歯車状のピニオン部６６は、略直線状歯付物として構成されたラック部６１上を回動する。これに伴い、略歯車状のピニオン部６６に噛み合わせられた略直線状歯付物のラック部６１が直線移動する。ノブ７０は、回動され易い略円板状のものとして形成されているので、ターンテーブル１２０の一部材１２１に対するマグネット１１１の吸着力の測定は、容易かつ正確に行われる。
【００７５】
ターンテーブル１２０の一部材１２１に対するマグネット１１１の吸着力が測定されるときに、例えば略円板状ノブ７０を略一定の速度で回動させることにより、第二装着部２０に備えられ且つクランパ１１０に合わせられたターンテーブル１２０は、第一装着部１０に備えられたクランパ１１０のマグネット１１１から略一定の速度で引き離される。クランパ１１０のマグネット１１１近傍に位置するターンテーブル１２０が、マグネット１１１から引き離されるときの速度は、略一定の速度とされるので、ターンテーブル１２０の一部材１２１に対するマグネット１１１の吸着力の測定結果に大きなバラツキが生じるということは回避される。従って、マグネット１１１が設けられたクランパ１１０と、このクランパ１１０に合わせられるターンテーブル１２０とを備えたディスククランパ装置１００の吸着力の測定は、正確に行われる。
【００７６】
マグネット１１１を備えるクランパ１１０に対し、ターンテーブル１２０は、水平方向Ｈに沿って移動可能な横型のものとされている。
【００７７】
これにより、ターンテーブル１２０の一部材１２１に対するマグネット１１１の吸着力の測定は、安定した状態で行われる。
【００７８】
例えば第一装着部（１０）に取り付けられたマグネット（１１１）を備えるクランパ（１１０）に対し、第二装着部（２０）に取り付けられたターンテーブル（１２０）が垂直方向（Ｖ）に沿って移動可能な縦型のものとされていた場合、第二装着部（２０）の重量などにより、下側に向けた力が第二装着部（２０）に働く。ターンテーブル（１２０）の一部材（１２１）に対するマグネット（１１１）の吸着力の測定が行われるときに、第二装着部（２０）の重量などにより、ターンテーブル（１２０）が取り付けられた第二装着部（２０）は、不用意に下側に向けて動かされることが懸念される。そのため、ターンテーブル（１２０）の一部材（１２１）に対するマグネット（１１１）の吸着力の測定は、行われ難いことが心配される。
【００７９】
しかしながら、第一装着部１０に取り付けられたマグネット１１１を備えるクランパ１１０に対し、第二装着部２０に取り付けられたターンテーブル１２０は、水平方向Ｈに沿って移動可能な横型のものとされているので、第二装着部２０の移動方向は、重力の働く
方向と関わりのないものとされる。従って、ターンテーブル１２０の一部材１２１に対するマグネット１１１の吸着力の測定は、安定した状態で行われる。
【００８０】
ディスククランパ装置１００の設計仕様などにより、例えば、次のディスククランパ装置（１００）の磁性吸着力の測定も可能とされる。
【００８１】
マグネット１１１を備えるクランパ１１０に代えて、マグネット（１１１）が未装備のクランパ（１１０）が、第一装着部１０に着脱自在に装備可能とされる。具体的に説明すると、マグネット１１１を備えるクランパ１１０に代えて、金属製一部材（１１１）を備えるクランパ（１１０）が、第一装着部１０に着脱自在に装備可能とされる。
【００８２】
また、マグネット１１１に引き寄せられるターンテーブル１２０に代えて、マグネット（１２１）を備えるターンテーブル（１２０）が、第二装着部２０に着脱自在に装備可能とされる。具体的に説明すると、金属製一部材１２１を備えるターンテーブル１２０に代えて、マグネット（１２１）を備えるターンテーブル（１２０）が、第二装着部２０に着脱自在に装備可能とされる。
【００８３】
前記ディスククランパ装置（１００）の吸着力測定機１が用いられることにより、ターンテーブル（１２０）に装着される各種マグネット（１２１）の吸着力は、容易に測定される。マグネット１１１が未装備とされマグネット１１１に代えて金属製一部材（１１１）が装備されたクランパ（１１０）が、第一装着部１０に着脱自在に装備可能とされているので、クランパ（１１０）は、容易に交換可能とされる。また、マグネット１１１に引き寄せられるターンテーブル１２０に代えて、マグネット（１２１）を備えるターンテーブル（１２０）が、第二装着部２０に着脱自在に装備可能とされているので、マグネット（１２１）を備えるターンテーブル（１２０）は、容易に交換可能とされる。これにより、ディスククランパ装置（１００）の吸着力の測定は、容易で迅速に行われる。
【００８４】
また、このディスククランパ装置（１００）の吸着力測定機１は、ターンテーブル（１２０）を自在に移動可能とさせる可動部５０を備えるものとされているので、マグネット（１２１）の吸着力は、正確に測定可能とされる。
【００８５】
また、このディスククランパ装置（１００）の吸着力測定機１は、マグネット（１２１）の吸着力を正確に測定可能な計測器３０を備えるものとされているので、クランパ（１１０）に対するマグネット（１２１）の吸着力は、計測器３０により容易かつ正確に測定される。従って、容易で正確にマグネット（１２１）の吸着力を測定可能なディスククランパ装置（１００）の吸着力測定機１が提供される。
【００８６】
次に、第一装着部１０にターンテーブル１２０が取り付けられ、第二装着部２０にクランパ１１０が取り付けられた状態のクランパ装置１００の吸着力測定機１について説明する。
【００８７】
図３は、クランパとターンテーブルとの取付位置が変更された状態のクランパ装置の吸着力測定機を示す正面図、図４は、図３のクランパ装置の吸着力測定機を示す平面図である。
【００８８】
図１および図２においては、吸着力測定機１を構成する第一装着部１０に、ディスククランパ装置１００のクランパ１１０が取り付けられたものが示されているが、図３および図４においては、吸着力測定機１を構成する第二装着部２０に、ディスククランパ装置１００のクランパ１１０が取り付けられたものが示されている。
【００８９】
また、図１および図２においては、吸着力測定機１を構成する第二装着部２０に、ディスククランパ装置１００のターンテーブル１２０が取り付けられたものが示されているが、図３および図４においては、吸着力測定機１を構成する第一装着部１０に、ディスククランパ装置１００のターンテーブル１２０が取り付けられたものが示されている。
【００９０】
図１および図２に対し、図３および図４は、これらの点で異なるが、他の部分においては、共通したものとされている。図１および図２に示されたディスククランパ装置１００の吸着力測定機１の構成と、図３および図４に示されたディスククランパ装置１００の吸着力測定機１の構成とは、同一の構成とされている。図３および図４において、図１および図２にて説明したものと同一のものについては、同一の符号を付し、その詳細な説明を省略した。
【００９１】
第一装着部１０（図１，図２）に着脱自在に取付け可能とされたクランパ１１０に代えて、図３および図４の如く、ターンテーブル１２０が第一装着部１０に着脱自在に取付け可能とされている。また、第二装着部２０（図１，図２）に着脱自在に取付け可能とされたターンテーブル１２０に代えて、図３および図４の如く、クランパ１１０が第二装着部２０に着脱自在に取付け可能とされている。
【００９２】
第一装着部１０は、クランパ１１０またはターンテーブル１２０の何れか一方のものが、着脱自在に取付け可能なものとして形成されている。また、第二装着部２０は、ターンテーブル１２０またはクランパ１１０の何れか一方のものが、着脱自在に取付け可能なものとして形成されている。
【００９３】
図３および図４を用いて、ディスククランパ装置１００の吸着力測定機１について具体的に説明すると、このディスククランパ装置１００の吸着力測定機１は、金属製一部材１２１を備えるターンテーブル１２０が着脱自在に取付け可能とされた第一装着部１０と、マグネット１１１を備えるクランパ１１０が着脱自在に取付け可能とされた第二装着部２０と、第一装着部１０に繋げられ且つマグネット１１１の吸着力を正確に測定可能な計測器３０と、ターンテーブル１２０の金属製一部材１２１に対し、マグネット１１１を備えるクランパ１１０を近付けたり引き離したりさせて、クランパ１１０を自在に移動可能とさせる可動部５０とを備えるものとして構成されている。
【００９４】
前記ディスククランパ装置１００の吸着力測定機１が用いられることにより、クランパ１１０に装着される各種マグネット１１１の吸着力は、容易に測定される。ディスククランパ装置１００の吸着力測定機１を構成する第一装着部１０は、金属製一部材１２１を備えるターンテーブル１２０が着脱自在に取付け可能なものとされているので、第一装着部１０に装備されたターンテーブル１２０は、容易に交換可能とされる。また、ディスククランパ装置１００の吸着力測定機１を構成する第二装着部２０は、マグネット１１１を備えるクランパ１１０が着脱自在に取付け可能なものとされているので、第二装着部２０に装備されたクランパ１１０は、容易に交換可能とされる。これにより、ディスククランパ装置１００の吸着力の測定は、容易で迅速に行われる。
【００９５】
また、このディスククランパ装置１００の吸着力測定機１は、金属製一部材１２１を備えるターンテーブル１２０に対し、マグネット１１１を備えるクランパ１１０を近付けたり引き離したりさせて、マグネット１１１を自在に移動可能とさせる可動部５０を備えるものとされているので、金属製一部材１２１を備えるターンテーブル１２０に対し、マグネット１１１を備えるクランパ１１０の吸着力は、正確に測定可能とされる。
【００９６】
また、このディスククランパ装置１００の吸着力測定機１は、マグネット１１１の吸着力を正確に測定可能な計測器３０を備えるものとされているので、ターンテーブル１２０
の金属製一部材１２１に対するマグネット１１１の吸着力は、計測器３０により容易かつ正確に測定される。従って、容易で正確にマグネット１１１の吸着力を測定可能なディスククランパ装置１００の吸着力測定機１を、ディスククランパ装置の設計技術者や、ディスククランパ装置の組立メーカや、ディスククランパ装置の組立工場の受入検査部隊や、マグネットメーカ等に提供することができる。
【００９７】
ターンテーブル１２０の一部材１２１に対するマグネット１１１の吸着力が測定されるときに、第一装着部１０に取り付けられた略円板状のターンテーブル１２０の中心部１２５と、第二装着部２０に取り付けられた略円板状のクランパ１１０の中心部１１５とが略一致した状態で、ターンテーブル１２０と、クランパ１１０とが合わせられる。
【００９８】
これにより、ターンテーブル１２０の一部材１２１に対するマグネット１１１の吸着力は、正確に測定される。例えば、ディスククランパ装置（１００）を構成する略円板状のターンテーブル（１２０）の中心部（１２５）と、ディスククランパ装置（１００）を構成する略円板状のクランパ（１１０）の中心部（１１５）とがずらされた状態でディスククランパ装置（１００）の吸着力が測定された場合、クランパ（１１０）の略円環状一部材（１２１）に対する略円環状マグネット（１１１）の吸着力は、正確に測定されないことが懸念される。
【００９９】
しかしながら、第一装着部１０に取り付けられた略円板状のターンテーブル１２０の中心部１２５と、第二装着部２０に取り付けられた略円板状のクランパ１１０の中心部１１５とが略一致した状態で、ターンテーブル１２０と、クランパ１１０とが合わせられて、ターンテーブル１２０の一部材１２１に対するマグネット１１１の吸着力が測定されることにより、ディスククランパ装置１００を構成する略円環状マグネット１１１の吸着力は、正確に測定される。
【０１００】
ターンテーブル１２０は、略円板状に形成されている。略円板状のターンテーブル１２０に対応して、クランパ１１０は、略円板状に形成されている。また、略円板状のクランパ１１０に対応して、ターンテーブル１２０は、略円板状に形成されている。略円板状ターンテーブル１２０の平面部１２３に対し、略直交する方向に沿って略円板状クランパ１１０が移動可能とされている。また、略円板状ターンテーブル１２０の平面部１２３に対し、略直交する方向に沿って略円板状ターンテーブル１２０が移動可能な状態で、略円板状ターンテーブル１２０は、計測器３０の探針部３３に続く第一装着部１０に装備可能とされている。
【０１０１】
これにより、ターンテーブル１２０の一部材１２１に対するマグネット１１１の吸着力は、正確に測定される。例えばターンテーブル（１２０）の一部材（１２１）に対するマグネット（１１１）の吸着力が測定されるときに、略円板状のターンテーブル（１２０）の平面部（１２３）に対し、傾けられた角度の方向に沿って略円板状のクランパ（１１０）が移動させられた場合、略円板状クランパ（１１０）に引き寄せられた略円環状マグネット（１１１）が、略円板状クランパ（１１０）から引き離されるときのマグネット（１１１）の吸着力は、不正確なものとして測定されることが懸念される。
【０１０２】
しかしながら、略円板状のターンテーブル１２０の平面部１２３に対し、略直交する方向に沿って略円板状のクランパ１１０が移動可能なものとされていれば、略円板状ターンテーブル１２０に引き寄せられた略円環状マグネット１１１が、略円板状ターンテーブル１２０から引き離されるときのマグネット１１１の吸着力は、ターンテーブル１２０が取り付けられた第一装着部１０に続く計測器３０により、正確に測定される。金属製一部材１２１を備えるターンテーブル１２０に合わせられたクランパ１１０が、ターンテーブル１２０から引き離されるときの角度誤差の影響は、最小限に抑えられて、ディスククラン
パ装置１００の吸着力は測定される。
【０１０３】
ターンテーブル１２０が装備される第一装着部１０に、ターンテーブル１２０に対応した取付部１２が設けられている。また、クランパ１１０が装備される第二装着部２０に、クランパ１１０に対応した取付部２２が設けられている。第一装着部１０は、計測器３０を構成する略丸棒状の探針部３３に装備されている。
【０１０４】
ターンテーブル１２０の中心軸部１２５と、第一装着部１０のターンテーブル１２０に対応した取付部１２の中心軸部１５と、ターンテーブル１２０および第一装着部１０に続く計測器３０の探針部３３の中心軸部３５とが、同軸線上で略一致して配置されている。また、クランパ１１０の中心軸部１１５と、第二装着部２０のクランパ１１０に対応した取付部２２の中心軸部２５とが、同軸線上で略一致して配置されている。また、第一装着部１０の取付部１２に装備されたターンテーブル１２０の中心軸部１２５と、第二装着部２０の取付部２２に装備されたクランパ１１０の中心軸部１１５とが略一致した状態で、ターンテーブル１２０と、クランパ１１０とが合わせられる。
【０１０５】
これにより、クランパ１１０に対するマグネット１１１の吸着力は、より正確に測定される。ターンテーブル１２０の中心軸部１２５と、第一装着部１０のターンテーブル１２０に対応した取付部１２の中心軸部１５と、ターンテーブル１２０および第一装着部１０に続く計測器３０の探針部３３の中心軸部３５とが同軸線上で略一致して配置され、クランパ１１０の中心軸部１１５と、第二装着部２０のクランパ１１０に対応した取付部２２の中心軸部２５とが同軸線上で略一致して配置され、第一装着部１０のターンテーブル１２０に対応の取付部１２に装備されたターンテーブル１２０の中心軸部１２５と、第二装着部２０のクランパ１１０に対応の取付部２２に装備されたクランパ１１０の中心軸部１１５とが略一致した状態で、ターンテーブル１２０と、クランパ１１０とが合わせられることにより、ターンテーブル１２０に対するクランパ１１０のマグネット１１１の吸着力は、計測器３０にて正確に測定可能となる。各中心軸部１５，２５，３５，１１５，１２５が略一致した状態でターンテーブル１２０に対するマグネット１１１の吸着力が測定されることにより、中心ずれに起因して、マグネット１１１の吸着力の測定が正確に行われないということは、回避され易くなる。
【０１０６】
ディスククランパ装置１００の吸着力測定機１は、可動部５０が装備される略平板状の台座９０を備えるものとされている。可動部５０を構成する第二装着部２０は、第二装着部２０を台座９０の長手方向Ｌに沿って正確に移動させるラックアンドピニオン部６０により、計測器３０に対し、往復移動が可能なものとされている。
【０１０７】
クランパ１１０が備えられた第二装着部２０を略平板状の台座９０の長手方向Ｌに沿って正確に移動させるラックアンドピニオン部６０を備えたディスククランパ装置１００の吸着力測定機１が構成されていれば、ターンテーブル１２０の一部材１２１に対するマグネット１１１の吸着力を測定可能な計測器３０に対し、クランパ１１０が備えられた可動部５０の往復移動は、精度よく行われる。
【０１０８】
ターンテーブル１２０の一部材１２１に対するマグネット１１１の吸着力が測定されるときに、例えば略円板状ノブ７０を略一定の速度で回動させることにより、第二装着部２０に備えられ且つターンテーブル１２０に合わせられたクランパ１１０は、第一装着部１０に備えられたターンテーブル１２０の金属製一部材１２１から略一定の速度で引き離される。ターンテーブル１２０の金属製一部材１２１近傍に位置するマグネット１１１付のクランパ１１０が、金属製一部材１２１から引き離されるときの速度は、略一定の速度とされるので、ターンテーブル１２０の一部材１２１に対するマグネット１１１の吸着力の測定結果に大きなバラツキが生じるということは回避される。従って、金属製一部材１２
１が設けられたターンテーブル１２０と、このターンテーブル１２０に合わせられるマグネット１１１付クランパ１１０とを備えたディスククランパ装置１００の吸着力の測定は、正確に行われる。
【０１０９】
金属製一部材１２１を備えるターンテーブル１２０に対し、クランパ１１０は、水平方向Ｈに沿って移動可能な横型のものとされている。
【０１１０】
これにより、ターンテーブル１２０の一部材１２１に対するマグネット１１１の吸着力の測定は、安定した状態で行われる。
【０１１１】
例えば第一装着部（１０）に取り付けられた金属製一部材（１２１）を備えるターンテーブル（１２０）に対し、第二装着部（２０）に取り付けられたクランパ（１１０）が垂直方向（Ｖ）に沿って移動可能な縦型のものとされていた場合、第二装着部（２０）の重量などにより、下側に向けた力が第二装着部（２０）に働く。ターンテーブル（１２０）の一部材（１２１）に対するマグネット（１１１）の吸着力の測定が行われるときに、第二装着部（２０）の重量などにより、クランパ（１１０）が取り付けられた第二装着部（２０）は、不用意に下側に向けて動かされることが懸念される。そのため、ターンテーブル（１２０）の一部材（１２１）に対するマグネット（１１１）の吸着力の測定は、行われ難いことが心配される。
【０１１２】
しかしながら、第一装着部１０に取り付けられた金属製一部材１２１を備えるターンテーブル１２０に対し、第二装着部２０に取り付けられたクランパ１１０は、水平方向Ｈに沿って移動可能な横型のものとされているので、第二装着部２０の移動方向は、重力の働く方向と関わりのないものとされる。従って、ターンテーブル１２０の一部材１２１に対するマグネット１１１の吸着力の測定は、安定した状態で行われる。
【０１１３】
ディスククランパ装置１００の設計仕様などにより、例えば、次のディスククランパ装置（１００）の磁性吸着力の測定も可能とされる。
【０１１４】
マグネット１１１を備えるクランパ１１０に代えて、マグネット（１１１）が未装備のクランパ（１１０）が、第二装着部２０に着脱自在に装備可能とされる。具体的に説明すると、マグネット１１１を備えるクランパ１１０に代えて、金属製一部材（１１１）を備えるクランパ（１１０）が、第二装着部２０に着脱自在に装備可能とされる。
【０１１５】
また、マグネット１１１に引き寄せられるターンテーブル１２０に代えて、マグネット（１２１）を備えるターンテーブル（１２０）が、第一装着部１０に着脱自在に装備可能とされる。具体的に説明すると、金属製一部材１２１を備えるターンテーブル１２０に代えて、マグネット（１２１）を備えるターンテーブル（１２０）が、第一装着部１０に着脱自在に装備可能とされる。
【０１１６】
前記ディスククランパ装置（１００）の吸着力測定機１が用いられることにより、ターンテーブル（１２０）に装着される各種マグネット（１２１）の吸着力は、容易に測定される。マグネット１１１が未装備とされマグネット１１１に代えて金属製一部材（１１１）が装備されたクランパ（１１０）が、第二装着部２０に着脱自在に装備可能とされているので、クランパ（１１０）は、容易に交換可能とされる。また、マグネット１１１に引き寄せられるターンテーブル１２０に代えて、マグネット（１２１）を備えるターンテーブル（１２０）が、第一装着部１０に着脱自在に装備可能とされているので、マグネット（１２１）を備えるターンテーブル（１２０）は、容易に交換可能とされる。これにより、ディスククランパ装置（１００）の吸着力の測定は、容易で迅速に行われる。
【０１１７】
また、このディスククランパ装置（１００）の吸着力測定機１は、クランパ（１１０）を自在に移動可能とさせる可動部５０を備えるものとされているので、マグネット（１２１）の吸着力は、正確に測定可能とされる。
【０１１８】
また、このディスククランパ装置（１００）の吸着力測定機１は、マグネット（１２１）の吸着力を正確に測定可能な計測器３０を備えるものとされているので、クランパ（１１０）に対するマグネット（１２１）の吸着力は、計測器３０により容易かつ正確に測定される。従って、容易で正確にマグネット（１２１）の吸着力を測定可能なディスククランパ装置（１００）の吸着力測定機１が提供される。
【０１１９】
クランパ装置１００の吸着力測定機１が用いられて、マグネット１１１の吸着力の検査が行われ、検査に合格したディスククランパ装置１００は、例えば光ディスク装置の組立メーカなどによって、光ディスク装置内に組み付けられる。
【０１２０】
ディスククランパ装置１００は、例えば、「ＣＤ−ＲＯＭ」，「ＤＶＤ−ＲＯＭ」などの読出し専用の光ディスクや、「ＣＤ−Ｒ」，「ＤＶＤ−Ｒ」，「ＤＶＤ＋Ｒ」などの追記型の光ディスクや、「ＣＤ−ＲＷ」，「ＤＶＤ−ＲＷ」，「ＤＶＤ＋ＲＷ」，「ＤＶＤ−ＲＡＭ」，「ＨＤ−ＤＶＤ」，「Blu ray Disc」などの書込み／消去や書換え可能なタイプの光ディスクに対応した光ディスク装置に装備可能とされる。光ディスク装置は、ＣＤ系光ディスクや、ＤＶＤ系光ディスク等の複数のメディアに対応可能なものとされる。
【０１２１】
ディスククランパ装置１００が装着された光ディスク装置は、例えば、ノート型パーソナルコンピュータや、デスクトップ型パーソナルコンピュータなどのパーソナルコンピュータや、ＣＤプレーヤ、ＤＶＤプレーヤなどの音響／映像機器などに装備可能なものとされる。
【０１２２】
本発明のクランパ装置の吸着力測定機は、図示されたものに限定されるものではない。本発明のものは、その要旨を逸脱しない範囲において、種々変更可能とされる。
【図面の簡単な説明】
【０１２３】
【図１】本発明に係るクランパ装置の吸着力測定機の一実施形態を示す正面図である。
【図２】図１のクランパ装置の吸着力測定機を示す平面図である。
【図３】クランパとターンテーブルとの取付位置が変更された状態のクランパ装置の吸着力測定機を示す正面図である。
【図４】図３のクランパ装置の吸着力測定機を示す平面図である。
【図５】ディスクのクランプ装置の一形態を示す要部断面図である。
【符号の説明】
【０１２４】
１      吸着力測定機
１０    第一装着部
１２，２２  取付部
１５，２５，３５，１１５，１２５  中心軸部（中心部）
２０    第二装着部
３０    計測器（計測部）
３１    計測部本体部（本体部）
３２    表示部
３３    探針部
３６    指針（針）
４０    取付部材
４１    取付本体部（本体部）
４２    固定蓋部
４３    止具
５０    可動部
６０    ラックアンドピニオン部（ラックピニオン部）
６１    ラック部
６２    往復移動部（移動部）
６６    ピニオン部
６７    基台部
７０    ノブ
９０    台座
１００  ディスククランパ装置（クランパ装置）
１１０  クランパ
１１１  マグネット（磁石）
１１３，１２３  平面部
１２０  ターンテーブル
１２１  一部材（部材）
Ｈ      水平方向
Ｌ      長手方向
Ｖ      垂直方向
【図１】
2006155869.tif 000003
【図２】
2006155869.tif 000004
【図３】
2006155869.tif 000005
【図４】
2006155869.tif 000006
【図５】
2006155869.tif 000007